(57)【要約】【課題】  油脂汚れ洗浄性及び高温下での長期保存安定性に優れた袋状容器入り液体洗浄剤を提供すること。【解決手段】  少なくとも２層のプラスチック製フィルムを積層した複合フィルム基材からなる袋状容器内に液体洗浄剤組成物を収容した袋状容器入り液体洗浄剤であって、前記複合フィルム基材は、前記袋状容器の内面側最内層が直鎖状低密度ポリエチレンフィルムであり、該内面側最内層の外面側に少なくとも１層の補強用プラスチックフィルムが積層されてなり、前記液体洗浄剤組成物が、（Ａ）アミン型アルカリ剤と、（Ｂ）溶剤とを含有し、前記（Ａ）成分が、分子量１１０以上のアミン型アルカリ剤（ａ１）を含有することを特徴とする袋状容器入り液体洗浄剤。【選択図】  なし【特許請求の範囲】
【請求項１】
少なくとも２層のプラスチック製フィルムを積層した複合フィルム基材からなる袋状容器内に液体洗浄剤組成物を収容した袋状容器入り液体洗浄剤であって、
前記複合フィルム基材は、前記袋状容器の内面側最内層が直鎖状低密度ポリエチレンフィルムであり、該内面側最内層の外面側に少なくとも１層の補強用プラスチックフィルムが積層されてなり、
前記液体洗浄剤組成物が、（Ａ）アミン型アルカリ剤と、（Ｂ）溶剤とを含有し、
前記（Ａ）成分が、分子量１１０以上のアミン型アルカリ剤（ａ１）を含有することを特徴とする袋状容器入り液体洗浄剤。
【請求項２】
前記（Ａ）成分が、さらに前記液体洗浄剤組成物の４質量％以下の分子量１１０未満のアミン型アルカリ剤（ａ２）を含有する請求項１記載の袋状容器入り液体洗浄剤。
【請求項３】
前記（Ａ）成分が、前記アミン型アルカリ剤（ａ１）を、前記液体洗浄剤組成物の１〜２０質量％の範囲で含有する請求項１または２記載の袋状容器入り液体洗浄剤。
【請求項４】
前記アミン型アルカリ剤（ａ１）がトリエタノールアミンを含有する請求項１〜３のいずれか一項に記載の袋状容器入り液体洗浄剤。
【発明の詳細な説明】
【技術分野】
【０００１】
本発明は、袋状容器に収容した液体洗浄剤に関するものである。
【背景技術】
【０００２】
一般に、家庭の台所等において生じる油脂汚れは、放置しておくと、空気中の酸素や光により酸化され、重合を生じるなどして除去しにくくなる。そのため、従来用いられていた液体洗浄剤組成物は、例えば台所のレンジ台等に付着し、充分に掃除されないまま約１年以上も放置されたような頑固な汚れに対しては、洗浄力が不充分であった。
このような問題に対し、液体洗浄剤組成物に必須成分としてアルカリ剤と溶剤とを含有させることで効果的に洗浄力が向上することが指摘されている（例えば、特許文献１参照）。
【０００３】
一方、近年、省資源やプラスチックゴミ問題の観点から、薄いプラスチック製フィルムの袋状容器内に液体洗浄剤組成物を収容した、詰替用の液体洗浄剤が提供されるようになっている。しかしながら、このような液体洗浄剤は、収容された洗浄剤組成物の安定性が低かったり、容器の耐久性が悪いという問題があった。
このような問題に対し、収容する液体洗浄剤の組成や、袋状容器の素材について、様々な検討がなされている。例えば特許文献２には、屋外保存時でも小袋内にダマを発生させない安定な小袋入り液体洗浄剤として、最内層が直鎖状低密度ポリエチレンフィルムからなり、その外層側に袋としての機械的強度を得るために補強フィルム層が１層または２層以上に積層された積層複合フィルム基材からなる小袋を用い、該小袋内に、特定の非イオン系界面活性剤と水とを含有する液体洗浄剤組成物を収容したものが記載されている。また、特許文献３には、屋上での保存による容器の亀裂発生／強度低下を抑制した液体洗浄剤物品として、積層複合フィルム基材からなる特定肉厚の袋型容器内に、陰イオン界面活性剤と特定のポリエーテル系溶剤とを含有する、特定の電気伝導度を有する液体洗浄剤組成物を収容したものが記載されている。
【特許文献１】特開２０００−１６９８９９号公報
【特許文献２】特開平８−１５７８９７号公報
【特許文献３】特開２０００−１６９８７８号公報
【発明の開示】
【発明が解決しようとする課題】
【０００４】
しかし、特許文献１に開示されているような、頑固な脂汚れに対して強い洗浄力を有する、アルカリ剤と溶剤とを含む洗浄剤組成物を、特許文献２、３等で用いられているような積層複合フィルム基材からなる袋状容器に収容した場合、高温下の長期保存安定性の点で問題があった。
すなわち、例えば夏季の倉庫内や路面上等の過酷な熱さでの保存時に、容器にかかる多大な熱量により、容器を構成する積層複合フィルム基材の積層面が分離（デラミネーション）し、表面にシワが発生するなどして外観が著しく低下することがあった。さらには、該洗浄剤組成物により該袋状容器のシール部が侵食されることがあると、内容液の漏れが生じるおそれがあった。
【０００５】
したがって、本発明は、油脂汚れ洗浄性および高温下での長期保存安定性に優れた袋状容器入り液体洗浄剤を提供することを目的とする。
【課題を解決するための手段】
【０００６】
本発明者らは、特定のプラスチック製袋状容器にアルカリ剤と溶剤を主剤として含有する液体洗浄剤組成物が収容された袋状容器入り液体洗浄剤において、アルカリ剤として、特定のアルカリ剤を特定量用いることにより、上記課題が解決されることを見出し、本発明を完成するに至った。
すなわち、本発明の袋状容器入り液体洗浄剤は、少なくとも２層のプラスチック製フィルムを積層した複合フィルム基材からなる袋状容器内に液体洗浄剤組成物を収容した袋状容器入り液体洗浄剤であって、
前記複合フィルム基材は、前記袋状容器の内面側最内層が直鎖状低密度ポリエチレンフィルムであり、該内面側最内層の外面側に少なくとも１層の補強用プラスチックフィルムが積層されてなり、
前記液体洗浄剤組成物が、（Ａ）アミン型アルカリ剤と、（Ｂ）溶剤とを含有し、
前記（Ａ）成分が、分子量１１０以上のアミン型アルカリ剤（ａ１）を含有することを特徴とする。
前記本発明の袋状容器入り液体洗浄剤においては、前記（Ａ）成分が、さらに前記液体洗浄剤組成物の４質量％以下の分子量１１０未満のアミン型アルカリ剤（ａ２）を含有することが好ましい。
また、前記本発明の袋状容器入り液体洗浄剤においては、前記（Ａ）成分が、前記アミン型アルカリ剤（ａ１）を、前記液体洗浄剤組成物の１〜２０質量％の範囲で含有することが好ましい。
また、前記本発明の袋状容器入り液体洗浄剤においては、前記アミン型アルカリ剤（ａ１）がトリエタノールアミンを含有することが好ましい。
【発明の効果】
【０００７】
本発明によれば、油脂汚れ洗浄性及び高温下での長期保存安定性に優れた袋状容器入り液体洗浄剤が得られる。
【発明を実施するための最良の形態】
【０００８】
以下に、本発明の袋状容器入り液体洗浄剤（以下、単に液体洗浄剤ということがある。）をより詳細に説明する。
≪液体洗浄剤組成物≫
本発明の液体洗浄剤において袋状容器内に収容される液体洗浄剤組成物は、（Ａ）アミン型アルカリ剤（以下、（Ａ）成分という）と、（Ｂ）溶剤（以下、（Ｂ）成分という）とを含有する。
【０００９】
＜（Ａ）成分＞
本発明は、（Ａ）成分が、分子量１１０以上のアミン型アルカリ剤（ａ１）を含有することを特徴とする。アミン型アルカリ剤（ａ１）の分子量の上限としては、特に制限はないが、取り扱いの観点から常温で流動性を得られるという点で、１０，０００以下が好ましく、４，０００以下がより好ましい。
【００１０】
分子量１１０以上のアミン型アルカリ剤（ａ１）として、具体的には、トリエタノールアミン、Ｎ，Ｎ−ジエチルエタノールアミン、Ｎ−ｎ−ブチルエタノールアミン、Ｎ，Ｎ−ジブチルエタノールアミン、Ｎ−（β−アミノエチル）イソプロパノールアミン、Ｎ，Ｎ−ジエチルイソプロパノールアミン、Ｎ−メチルジエタノールアミン、Ｎ−エチルモルホリン、Ｎ−メチルモルホリンオキシド、アミノプロピルモルホリン、Ｎ，Ｎ−ジメチルシクロヘキシルアミン、ペンタメチルジエチレントリアミン、テトラメチル−ビス（アミノエチル）−エーテル、Ｎ，Ｎ−ジメチル−２−（２−アミノエトキシ）エタノール、ペンタメチルジプロピレントリアミン、テトラメチルジプロピレントリアミン、Ｎ−アミノエチルピペラジン、ジメチルピペラジン、ジブチルアミン、トリブチルアミン、２−エチルへキシルアミン、Ｎ，Ｎ−ジイソプロピルアミン、３−メトキシプロピルアミン、３−エトキシプロピルアミン、テトラメチル−１，３−ジアミノプロパン、２−ヒドロキシエチルアミノプロピルアミン、Ｎ−アミノプロピルモルホリン、イミノビスプロピルアミン、メチルイミノビスプロピルアミン、ペンタメチルジエチレントリアミン、２−ピペリジンカルボン酸、２−アミノメチルピペリジン、４−アミノメチルピペリジン、１，３−ジ（４−ピペリジル）プロパン、フェネチルアミン、以下の式（１）〜（５）で表されるポリオキシアルキレンアミンなどが挙げられる。
【００１１】
【化１】
2005097496.tif 000002
【００１２】
式（１）中、ＲはＨまたはＣＨ３を示す。
また、式（１）〜（５）中、ｘ、ｙ、ｚはそれぞれ平均付加モル数を表す。ｘ、ｙ、ｚの値は、特に制限はないが、それぞれ独立に、０〜１００が好ましく、０〜６０がより好ましい。ｘ、ｙ、ｚは同時に０ではなく、ｘ＋ｙ＋ｚ＝１以上である。
これらのアミン型アルカリ剤（ａ１）は、単独又は２種類以上を組み合わせて用いることができる。
これらの中でも、トリエタノールアミンは、入手しやすく安価である、アルカリ剤としての効果等の点で好ましく用いられる。
【００１３】
アミン型アルカリ剤（ａ１）の配合量は、特に限定されるものではないが、充分な洗浄力を発揮するためには、当該液体洗浄剤組成物の全量に対し、後述するアミン型アルカリ剤（ａ２）との合計量が１質量％以上となる量であることが好ましく、アミン型アルカリ剤（ａ１）単独での配合量が１質量％以上であることがより好ましい。また、ある程度以上配合しても洗浄力の向上は乏しくなるため、当該液体洗浄剤組成物の全量に対し、２０質量％以下であってよい。より好ましくは１〜１５質量％、更に好ましくは１〜１０質量％である。
【００１４】
本発明においては、（Ａ）成分として、さらに、当該液体洗浄剤組成物の全量に対し、４質量％以下の分子量１１０未満のアミン型アルカリ剤（ａ２）を含有してもよい。アミン型アルカリ剤（ａ２）を含有することにより、洗浄力がさらに向上する。そのため、アミン型アルカリ剤（Ａ）の配合量を低減できる。
アミン型アルカリ剤（ａ２）を配合する場合、その配合量は、本発明の洗浄剤を高温下で長期保存した時の袋状容器のシワ発生およびシール部の剥離の点から、当該液体洗浄剤組成物の全量に対し、４質量％以下とする必要がある。より好ましくは３質量％以下、さらに好ましくは２質量％以下である。配合量の下限値としては、０．０１質量％以上が好ましく、０．１質量％以上がより好ましい。
【００１５】
アミン型アルカリ剤（ａ２）として、具体的には、モノエタノールアミン、ジエタノールアミン、Ｎ−メチルエタノールアミン、Ｎ，Ｎ−ジメチルエタノールアミン、Ｎ−エチルエタノールアミン、Ｎ−（β−アミノエチル）エタノールアミン、２−（２−アミノエトキシ）エタノール、モルホリン、Ｎ−メチルモルホリン、ジメチルアミノプロピルアミン、メトキシプロピルアミン、２−アミノプロパノール、３−アミノプロパノール、３−メトキシプロピルアミン、３−エトキシプロピルアミン、１，２−ジアミノプロパン、１，３−ジアミノプロパン、メチルアミノプロピルアミン、ジメチルアミノプロピルアミン、１，４−ジアミノブタン、ピペリジン、２−ピペコリン、３−ピペコリン、４−ピペコリン、Ｎ−メチルピペリジン、ベンジルアミン、シクロヘキシルアミンなどが挙げられる。
これらのアミン型アルカリ剤（ａ２）は、単独又は２種類以上を組み合わせて用いることができる。
【００１６】
（Ａ）成分は、アミン型アルカリ剤（ａ１）のみ、あるいはアミン型アルカリ剤（ａ１）とアミン型アルカリ剤（ａ２）との混合物から構成される。
（Ａ）成分としてアミン型アルカリ剤（ａ２）を配合する場合、（Ａ）成分中におけるアミン型アルカリ剤（ａ１）とアミン型アルカリ剤（ａ２）の配合量の比（質量比）は、９９：１〜１：９９が好ましく、９０：１０〜１０：９０がより好ましい。
【００１７】
＜（Ｂ）成分＞
本発明では（Ｂ）成分として溶剤が配合される。（Ｂ）成分の具体的な例としては、下記の一般式（６）、一般式（７）で表される溶剤が挙げられる。
【００１８】
（６）    Ｒ１Ｏ［（Ｃ２Ｈ４Ｏ）ｍ（Ｃ３Ｈ６Ｏ）ｎ］Ｈ
｛式（６）中、Ｒ１は、炭素数１〜９の直鎖、分岐鎖または環状のアルキル基、アルケニル基、または芳香族炭化水素基（フェニル基を除く）を示す。また、ｍ及びｎは各々０〜５の整数であって、ｍ＋ｎは１以上である。また、ｍおよびｎがともに１以上の整数である場合、［  ］内は、オキシエチレン基とオキシプロピル基がランダム状および／またはブロック状に結合しているポリオキシアルキレン鎖である。｝
【００１９】
（７）    Ｒ２Ｏ［ＣＨ２−ＣＨ（ＯＨ）−ＣＨ２Ｏ］ｐＨ
｛式（７）中、Ｒ２は、炭素数１〜９の直鎖、分岐鎖または環状のアルキル基、アルケニル基、または芳香族炭化水素基（フェニル基を除く）を示す。また、ｐは各々１〜５の整数である。｝
【００２０】
上記一般式（６）で表される溶剤の具体例としては、特に下記の具体例に限定されるものではないが、エチレングリコールモノエチルエーテル、ジエチレングリコールモノエチルエーテル、プロピレングリコールジエチレングリコールモノエチルエーテル、ジプロピレングリコールエチレングリコールモノエチルエーテル、プロピレングリコールモノエチルエーテル、ジプロピレングリコールモノエチルエーテル、エチレングリコールモノブチルエーテル、ジエチレングリコールモノブチルエーテル、プロピレングリコールジエチレングリコールモノブチルエーテル、ジプロピレングリコールエチレングリコールモノブチルエーテル、プロピレングリコールモノブチルエーテル、ジプロピレングリコールモノブチルエーテル、エチレングリコールモノベンジルエーテル、ジエチレングリコールモノベンジルエーテル等を挙げることができる。
【００２１】
上記一般式（７）で表される溶剤の具体例としては、特に下記の具体例に限定されるものではないが、グリセリルモノエチルエーテル、ジグリセリルモノエチルエーテル、グリセリルモノプロピルエーテル、グリセリルモノプロピルエーテル、グリセリルモノペンチルエーテル、グリセリルモノヘキシルエーテル、ジグリセリルモノヘキシルエーテル、トリグリセリルモノオクチルエーテル等を挙げることができる。
【００２２】
（Ｂ）成分は、これらの溶剤の中から単独又は２種類以上を組み合わせて用いることができる。
（Ｂ）成分の配合量は、特に限定されるものではないが、当該液体洗浄剤組成物の全量に対し、好ましくは０．１〜２０質量％、より好ましくは０．３〜１５質量％、更に好ましくは０．５〜１０質量％である。０．１質量％以下では洗浄力が劣り、２０質量％以上配合しても洗浄力の顕著な向上はみられない。
【００２３】
＜他の任意成分＞
本発明の洗浄剤組成物には、上記（Ａ）成分および（Ｂ）成分の他に、必要に応じて他の任意成分を、本発明の効果を損なわない範囲において適宜配合することができる。
【００２４】
他の任意成分としては、界面活性剤を挙げることができる。界面活性剤としては、例えば、陰イオン性界面活性剤、陽イオン性界面活性剤、両性界面活性剤、及び非イオン界面活性剤を用いることができる。なお、本発明は、これらの中の特定のものに限定されるものではない。
【００２５】
界面活性剤の代表例は、次のとおりである。これらは、単独又は２種以上組み合わせて用いることができる。
（１）陰イオン性界面活性剤：硫酸アルキル塩、硫酸アルキルポリオキシエチレン塩、アルキルベンゼンスルホン酸塩、α−オレフィンスルホン酸塩、脂肪酸塩、α−スルホ脂肪酸塩、エーテルカルボン酸塩、モノアルキルリン酸塩等である。これら陰イオン性界面活性剤の対イオン（陽イオン）は、アルカリ金属イオン、アルカリ土類金属イオン、アルカノールアミンイオン、アンモニウムイオン等である。
（２）陽イオン性界面活性剤：アルキルトリメチルアンモニウム塩、ジアルキルジメチルアンモニウム塩、アルキルアンモニウム塩、アルキルベンジルジメチルアンモニウム塩等である。これら陽イオン性界面活性剤の対イオン（陰イオン）は、ハロゲンイオン等である。
（３）両性界面活性剤：アルキルカルボキシベタイン、アルキルスルホベタイン等である。
（４）非イオン性界面活性剤ポリオキシエチレンアルキルエーテル、ポリオキシエチレンアルキルフェニルエーテル、脂肪酸ジエタノールアミド、アルキルアミンオキサイド、アミドアミンオキサイド等である。
界面活性剤の配合量は、組成物全量に対して、好ましくは０〜２０質量％、より好ましくは０．５〜１０質量％である。
【００２６】
また、洗浄性能向上のために、水酸化ナトリウムや水酸化カリウム等のアルカリ金属水酸化物、炭酸カリウムや炭酸ナトリウム等の炭酸塩、珪酸ナトリウムや珪酸カリウム等の珪酸塩等のアルカリ剤等を添加することが可能である。
【００２７】
また、洗浄性能向上のために、エチレンジアミン四酢酸塩、ニトリロトリ酢酸塩、クエン酸塩等のキレート化剤を添加することも可能である。
【００２８】
さらに、低級アルコール、多価アルコール、エチレングリコール類、低級アリールスルホン酸塩等のハイドロトロープ剤、紫外線吸収剤、着色剤、増粘剤、防腐剤、除菌剤、シリコーン等のすすぎ向上剤、苦味催吐剤等の誤飲防止剤、カルシウム塩、酵素、蛍光増白剤、酸化防止剤、天然物等のエキス、香料等を配合することができる。
尚、これらの任意成分に用いられる化合物は、通常洗浄剤に使用されるものであればどの様なものでも良く、特に限定されるものではない。
【００２９】
防腐剤としては、限定されるものではないが、安息香酸ナトリウム、パラオキシ安息香酸イソブチル、パラオキシ安息香酸イソプロピル、パラオキシ安息香酸エチル、パラオキシ安息香酸メチル、パラオキシ安息香酸ブチル、パラオキシ安息香酸プロピル等の安息香酸系防腐剤類、ソルビン酸、ソルビン酸カリウム等のソルビン酸系防腐剤類、デヒドロ酢酸類、プロピオン酸類、ジフェニル、オルトフェニルフェノール及びナトリウム等のジフェニル類、チアベンゾール、イマザリル等が挙げられる。防腐剤の配合量は、組成物全量に対し、０〜０．５質量％が好ましい。
【００３０】
天然物等のエキスとしては、限定されるものではないが、イヌエンジュ、ウワウルシ、エッキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シュクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ハマビシ、ヤブガラシ、カンゾウ、セイヨウオトギリソウなどの植物のエキスや、コラーゲンなどが挙げられる。
【００３１】
香料として使用される香料原料のリストは、様々な文献、例えば「Ｐｅｒｆｕｍｅ  ａｎｄ  Ｆｌａｖｏｒ  Ｃｈｅｍｉｃａｌｓ  」，Ｖｏｌ．Ｉ  ａｎｄ  ＩＩ，Ｓｔｅｆｆｅｎ  Ａｒｃｔａｎｄｅｒ，Ａｌｌｕｒｅｄ  Ｐｕｂ．Ｃｏ．（１９９４）および「合成香料  化学と商品知識」、印藤元一著、化学工業日報社（１９９６）及び「Ｐｅｒｆｕｍｅ  ａｎｄ  Ｆｌａｖｏｒ  Ｍａｔｅｒｉａｌｓ  ｏｆ  Ｎａｔｕｒａｌ  Ｏｒｉｇｉｎ」，  Ｓｔｅｆｆｅｎ  Ａｒｃｔａｎｄｅｒ，Ａｌｌｕｒｅｄ  Ｐｕｂ．Ｃｏ．（１９９４  ）および「香りの百科」、日本香料協会編、朝倉書店（１９８９）及び「Ｐｅｒｆｕｍｅｒｙ  Ｍａｔｅｒｉａｌ  Ｐｅｒｆｏｒｍａｎｃｅ  Ｖ．３．３」，Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ（１９９６）及び「Ｆｌｏｗｅｒ  ｏｉｌｓ  ａｎｄ  Ｆｌｏｒａｌ  Ｃｏｍｐｏｕｎｄｓ  Ｉｎ  Ｐｅｒｆｕｍｅｒｙ」，Ｄａｎｕｔｅ  Ｌａｊａｕｊｉｓ  Ａｎｏｎｉｓ，Ａｌｌｕｒｅｄ  Ｐｕｂ．Ｃｏ．（１９９３）等で見られ、これらに開示されているものを使用することができる。
【００３２】
本発明においては、洗浄剤組成物に対し、水がバランス量加えられてもよい。水としては、純水、蒸留水、イオン交換水、水道水、アルカリイオン水等が挙げられる。配合量としては、組成物のバランス量が用いられる。
【００３３】
≪袋状容器≫
本発明の液体洗浄剤において用いられる袋状容器は、少なくとも２層のプラスチック製フィルムを積層した複合フィルム基材からなるものであり、前記複合フィルム基材は、前記袋状容器の内面側最内層が直鎖状低密度ポリエチレンフィルム（以下、最内層ということがある）であり、該内面側最内層の外面側に少なくとも１層の補強用プラスチックフィルム（以下、補強フィルム層ということがある）が積層されてなるものである。
【００３４】
直鎖状低密度ポリエチレンは、透明性があって、粘り強く、腰のある材料であり、これらの性質から最内層に使用することにより製造時にヒートシールがし易いという利点がある。最内層に直鎖状低密度ポリエチレンを用いない場合は、ヒートシールが不十分でシール部分から液が漏れ出すおそれがある。
【００３５】
補強フィルム層は、機械的強度が大きい補強用プラスチックフィルムからなり、補強用プラスチックフィルムの材料としては、例えばナイロン系樹脂、ポリビニルアルコール系樹脂、ポリエチレン系樹脂、ポリプロピレン系樹脂等の合成樹脂からなるフィルムが挙げられる。
【００３６】
最内層の厚さは、ヒートシールの接着性からある程度の厚みが必要であり、厚すぎても効果が変わらなくなることから、好ましくは５０〜３００μｍ、より好ましくは９０〜１５０μｍ、更に好ましくは１３０〜１５０μｍである。
一方、補強フィルム層の厚さは、直立性を維持し、落下時の衝撃破損などに耐えるフィルム強度と、内容物の減少を防止する保存安定性の点で、一層分の厚みとして、好ましくは１０〜３０μｍ、より好ましくは１５〜２０μｍである。
【００３７】
複合フィルム基材は、これらのフィルム各層が積層されたものである。フィルム各層の積層は、一般的に、ポリウレタン系、エステル系等の接着剤や、カゼインなどの水溶性接着剤などの糊材を用いて行われる。
【００３８】
複合フィルム基材の具体的な例としては、例えば以下の（１）〜（８）ようなものが挙げられるが、これに限定されるものではない。
・複合フィルム基材（１）：（補強フィルム層）延伸ナイロン（１５μｍ）／（最内層）直鎖状低密度ポリエチレン（１３０μｍ）
・複合フィルム基材（２）：（補強フィルム層１）延伸ナイロン（１５μｍ）／（補強フィルム層２）延伸ナイロン（１５μｍ）／（最内層）直鎖状低密度ポリエチレン（１３０μｍ）
・複合フィルム基材（３）：（補強フィルム層１）延伸ナイロン（１５μｍ）／（補強フィルム層２）延伸ポリプロピレン（２０μｍ）／（最内層）直鎖状低密度ポリエチレン（１３０μｍ）
・複合フィルム基材（４）：（補強フィルム層）延伸ポリエチレンテレフタレート（２０μｍ）／（最内層）直鎖状低密度ポリエチレン（１３０μｍ）
・複合フィルム基材（５）：（補強フィルム層１）延伸ポリプロピレン（２０μｍ）／（補強フィルム層２）エチレン−ビニルアルコールコポリマー（１６μｍ）／（最内層）直鎖状低密度ポリエチレン（１３０μｍ）
・複合フィルム基材（６）：（補強フィルム層）延伸ポリビニルアルコール（２０μｍ）／（最内層）直鎖状低密度ポリエチレン（１３０μｍ）
・複合フィルム基材（７）：（補強フィルム層１）延伸ナイロン（１５μｍ）／（補強フィルム層２）アルミ蒸着ポリエチレンテレフタレート（１５μｍ）／（最内層）直鎖状低密度ポリエチレン（１００μｍ）
・複合フィルム基材（８）：（補強フィルム層１）延伸ナイロン（１５μｍ）／（補強フィルム層２）アルミ（７μｍ）／（最内層）直鎖状低密度ポリエチレン（１００μｍ）
なお、上記記載において、括弧内はフィルムの厚さを示す。また、エチレン−ビニルアルコールコポリマーは、補強フィルム層を２層以上設けた場合の、補強フィルム層の最外層と、最内層との間の中間層にのみ使用される。
【００３９】
袋状容器は、上述のような複合フィルム基材を、前記最内層を内側にして重ね合わせ、その周縁部を、ヒートシール等により接着して袋状に成形して得られる。
【００４０】
本発明の洗浄剤は、上記袋状容器内に、前記洗浄剤組成物を収容したものである。
本発明によれば、頑固な脂汚れに対して強い洗浄力を有する、特定のアルカリ剤と溶剤とを含む洗浄剤組成物を、特定の積層複合フィルム基材からなる袋状容器に収容したことにより、高温下の長期保存安定性が向上する。そのため、例えば夏季の倉庫内や路面上等の過酷な熱さでの保存時に、容器にかかる多大な熱量により、容器を構成する積層複合フィルム基材の積層面が分離（デラミネーション）し、表面にシワが発生するなどして外観が著しく低下することが防止され、さらには、該洗浄剤組成物により該袋状容器のシール部が侵食されて内容液の漏れの発生を防止できる。
【００４１】
本発明により長期保存性が向上する理由は、定かではないが、（Ａ）成分として分子量１１０以上のアミン型アルカリ剤（ａ１）を用いることにより、（Ａ）成分が、容器内面側最内層の直鎖状低密度ポリエチレンフィルムを通過しないようになり、フィルムの積層部分に到達しないことで、過酷な熱さで長期保存した時でも、袋状容器にシワや液漏れを発生させない安定な液体洗浄剤を得ることができたと思われる。
【００４２】
また、本発明の液体洗浄剤は、収容された液体洗浄剤組成物の詰替えを行い、特願２００３−１０５４３８号公報のようなスプレー型洗浄品として使用することができる。
【実施例】
【００４３】
以下、実施例を示して本発明をより詳細に説明する。
実施例１〜２８、比較例１〜５
まず、以下の合成樹脂フィルムを用いた積層フィルム（Ｉ）〜（Ｖ）および（Ｉ’）、（ＩＩ’）を用い、それぞれ、番号が最も大きいフィルムを最内層とし、その周縁部をヒートシールして袋状にして、容器（Ｉ）〜（Ｖ）および（Ｉ’）、（ＩＩ’）（容積３５０ｍＬ）を作製した。
作製した容器（Ｉ）〜（Ｖ）および（Ｉ’）、（ＩＩ’）の中に、表１〜４に示した組成の液体洗浄剤組成物を充填して、袋状容器入り液体洗浄剤を製造した。表１〜４に、各実施例および比較例で使用した容器の種類を併記する。なお、液体洗浄剤組成物に使用した香料組成物ａ〜ｃの組成を表５に示す。数値は液体洗浄剤組成物１００質量％中における質量％で示している。
【００４４】
・積層フィルム（Ｉ）：（１）延伸ナイロン（１５μｍ）／（２）直鎖状低密度ポリエチレン（１３０μｍ）（東洋製罐製）
・積層フィルム（ＩＩ）：（１）延伸ナイロン（１５μｍ）／（２）延伸ナイロン（１５μｍ）／（３）直鎖状低密度ポリエチレン（１３０μｍ）（大日本印刷製）
・積層フィルム（ＩＩＩ）：（１）延伸ナイロン（１５μｍ）／（２）延伸ポリプロピレン（２０μｍ）／（３）直鎖状低密度ポリエチレン（１３０μｍ）（東洋製罐製）
・積層フィルム（ＩＶ）：（１）延伸ナイロン（１５μｍ）／（２）アルミ蒸着ポリエチレンテレフタレート（１５μｍ）／（３）直鎖状低密度ポリエチレン（１００μｍ）（大日本印刷製）
・積層フィルム（Ｖ）：（１）延伸ナイロン（１５μｍ）／（２）アルミ（７μｍ）／（３）直鎖状低密度ポリエチレン（１００μｍ）（凸版印刷製）  
・積層フィルム（Ｉ’）：（１）延伸ナイロン（１５μｍ）／（２）延伸ポリプロピレン（１３０μｍ）
・積層フィルム（ＩＩ’）：（１）延伸ナイロン（１５μｍ）／（２）延伸ポリプロピレン（２０μｍ）／（３）延伸ポリエチレンテレフタレート（１３０μｍ）
なお、上記において、括弧内はフィルムの厚さを示す。
【００４５】
得られた液体洗浄剤について、下記の試験を行った。その結果を表１〜４に併記する。
〔（１）頑固な油汚れに対する洗浄力試験〕
大豆白絞油を鉄板に均一に塗り延ばし、１８０℃の温度で１５時間焼き付け、油を重合させて樹脂状化したモデル汚垢板（２５×２５ｃｍ）を作製し、これを用いて洗浄力試験を行った。なお、このモデル汚垢板は、一般家庭の台所の諸設備などに生じる掃除をしないで１．５年間放置した油汚れに相当するものである。
洗浄力の判定は、上記モデル汚垢板に、各液体洗浄剤に収容されている洗浄剤組成物（原液、１ｍｌ）を滴下し、１分後に、スポンジで軽く５回拭き取った時の汚れの落ち具合を、目視により下記判定基準にしたがって判定した。
判定基準：
５点：汚れ落ちが非常に良好
４点：汚れ落ちが良好
３点：汚れ落ちにムラがある
２点：若干汚れが落ちる程度
１点：ほとんど汚れが落ちない
【００４６】
〔（２）高温下での長期保存安定性試験〕
各液体洗浄剤を、４０℃で３ヶ月間保存し、室温に戻した後、袋状容器表面のシワ及びヒートシールした部分の剥離の有無を確認した。尚、評価基準は以下の通りである。
○：保存後、シワ、剥離ともに生じない
△：３ヵ月保存後に、よく見ると分かるレベルのわずかなシワのみが発生した
×：３ヵ月保存後に明らかに見えるシワが発生した、もしくは剥離・液漏れが生じている
【００４７】
【表１】
2005097496.tif 000003
【００４８】
【表２】
2005097496.tif 000004
【００４９】
【表３】
2005097496.tif 000005
【００５０】
【表４】
2005097496.tif 000006
【００５１】
【表５】
2005097496.tif 000007
【００５２】
なお、表１、２中の成分のＪＥＦＦＡＭＩＮＥは、ＨＵＮＴＳＭＡＮ社製のポリオキシアルキレンアミンであり、Ｄ−２３０、ＸＴＪ−５０２、Ｔ−３０００はそれぞれ、アミン型アルカリ剤（ａ１）の説明に記載した式（２）、（４）、（５）で表されるポリオキシアルキレンアミンに相当する。
【００５３】
実施例１〜２８の液体洗浄剤は、洗浄力の評価が全て４以上で優れていた。また、高温下での長期保存安定性も、実用上、全く問題はなかった。
一方、（Ａ）成分と（Ｂ）成分の両方を含有しない比較例１、２の液体洗浄剤は、油脂の洗浄力の点で実施例１〜２８よりも劣っていた。
また、（Ａ）成分と（Ｂ）成分をともに含有する液体洗浄剤組成物であっても、最内層が直鎖状低密度ポリエチレンフィルムでない容器の場合（比較例３、４）は、ヒートシール部の剥離が起こり、保存安定性の点で、実施例１〜２８よりも劣っていた。
また、（Ａ）成分として分子量１１０未満のアミン型アルカリ剤のみを、４質量％を超える量で用いた比較例５の液体洗浄剤は、容器表面にシワが発生するなど、保存安定性の点で、実施例１〜２８よりも劣っていた。